(57)【要約】【課題】簡易な構造でロータリカバーへの土の付着を防止できる構成のロータリ耕耘装置を提供する。【解決手段】ロータリカバー７のロータリ耕耘体６側の面に設けられた土付着防止体９を備え、土付着防止体９は、弾性板９０を円弧状の膨らみを有するように進行方向の前後方向に折り曲げられロータリカバー７に取付けられ構成されているロータリ耕耘装置による。この構造により、円弧状の膨らみ部がより振動しやすいため、土砂が付着しにくく付着しても落下しやすいい構造となっている。また、土付着防止体９の弾性板９０の円弧状の膨らみ部９２が、ロータリ耕耘体６の回転方向の下流側に位置するように取付けられている前記のロータリ耕耘装置による。【選択図】      図４
2016131506.tif 000002
【特許請求の範囲】
【請求項１】
トラクタに装着する装着部を設けたフレームと、
該フレームに回転自在に設けられたロータリ耕耘体と、
該ロータリ耕耘体の上方に位置して設けられたロータリカバーと、
前記ロータリ耕耘体の後方に設けられ前記ロータリカバーの後端部に上下回動自在に軸支された整地板と、
前記ロータリカバーのロータリ耕耘体側の面に設けられた土付着防止体を備え、
該土付着防止体は、弾性板を円弧状の膨らみを有するように進行方向の前後方向に折り曲げてロータリカバーに取付けられ構成されていることを特徴としたロータリ耕耘装置。
【請求項２】
土付着防止体の弾性板の円弧状の膨らみ部が、ロータリ耕耘体の回転方向の下流側に位置するように取付けられていることを特徴とした請求項１に記載のロータリ耕耘装置。
【発明の詳細な説明】
【技術分野】
【０００１】
本発明は、トラクタに装着されて使用される農作業機であり、複数の耕耘爪を設けたロータリ耕耘体を回転させ耕耘するロータリ耕耘装置に関する。詳細には、ロータリ耕耘体の上方のロータリカバー内面への耕耘土の付着を防止する構造に関するものである。
【背景技術】
【０００２】
ロータリ耕耘装置は、複数の耕耘爪を設けた左右方向に長いロータリ耕耘軸を左右端部を回転自在にフレームに保持させて回転して耕耘を行う。この際、耕耘爪が跳ね上げる耕耘土が上方に飛散しないようにロータリ耕耘体の上方部を覆うロータリカバーが設けられる。跳ね上げられた耕耘土の一部はロータリカバー内周面に付着して肥大していき、やがて回転する耕耘爪の回転抵抗になり、動力ロスを発生させる。このため、ロータリカバー内周面への土の付着と肥大を防止するため、内周面に弾性材等を設けた構成のものが知られている。例えば、実開平２−９０９０６号公報や特開平４−１３５４０１号公報および特許第５５３６９１７号公報等が公知となっている。
【先行技術文献】
【特許文献】
【０００３】
【特許文献１】実開平２−９０９０６号公報
【特許文献２】特開平４−１３５４０１号公報
【特許文献３】特許第５５３６９１７号公報
【発明の概要】
【発明が解決しようとする課題】
【０００４】
特許文献１、２に示された土の付着防止方法は、ロータリカバーの内面に弾性材を取付けるとともに、カバー内面と弾性材との間に空間を設け、弾性材に付着した土砂等を振動によって落下させるというものである。しかし、特許文献1の場合、成形した弾性材を使用しなければならないことや、特許文献２のように構造が複雑となって生産コストを低く抑えることに不都合であった。また、弾性材が劣化したときの交換コストの負担も大きいものがある。
【０００５】
特許文献３のロータリ作業機の場合、弾性を有する土除け材を片持ち状に保持して自由端を振動させ、跳ね上がった土砂の付着を防止するものである。しかし、自由端側の位置が安定せず、劣化や変形によって耕耘爪に接触して動力ロス発生や耕耘爪の摩耗等が発生する虞がある。
【０００６】
このことから本発明の目的は、簡易な構造でロータリカバーへの土の付着を防止できる構造を備えたロータリ耕耘装置を提供することを目的とする。
【課題を解決するための手段】
【０００７】
上記課題を解決するために、トラクタに装着する装着部を設けたフレームと、該フレームに回転自在に設けられたロータリ耕耘体と、該ロータリ耕耘体の上方に位置して設けられたロータリカバーと、前記ロータリ耕耘体の後方に設けられ前記ロータリカバーの後端部に上下回動自在に軸支された整地板と、前記ロータリカバーのロータリ耕耘体側の面に設けられた土付着防止体を備え、該土付着防止体は、弾性板を円弧状の膨らみを有するように進行方向の前後方向に折り曲げてロータリカバーに取付けられ構成されていることを特徴としたロータリ耕耘装置を提案する。
【０００８】
また、土付着防止体の弾性板の円弧状の膨らみ部が、ロータリ耕耘体の回転方向の下流側を向いているように取付けられていることを特徴とした０００７欄記載のロータリ耕耘装置を提案する。
【発明の効果】
【０００９】
この発明によれば、弾性板を円弧状の膨らみを有するように進行方向の前後方向に折り曲げた簡易な構造の土付着防止体をロータリカバー内面に取付けた構成となっていることにより、円弧状の膨らみ部が振動して土砂が付着しにくく、また、付着しても落下しやすい。また、円弧状の膨らみ部は、跳ね上げられた土砂が打付けられると振動がしやすいため、土付着防止体が設けられていない面部分への土砂の付着が進行しにくい。さらに、自由端が無いため、確実にロータリカバー内面部に土付着防止体を保持した状態が維持できる。
【図面の簡単な説明】
【００１０】
【図１】本発明の実施例のロータリ耕耘装置の左前方からの斜視図である。
【図２】本発明の実施例のロータリ耕耘装置の左後方からの斜視図である。
【図３】本発明の実施例のロータリ耕耘装置の左側面図である。
【図４】本発明の第１実施例の耕耘ロータリ部の土付着防止体を表した左側面断面図である。
【図５】本発明の第２実施例の耕耘ロータリ部の土付着防止体を表した左側面断面図である。
【図６】本発明の第３実施例の耕耘ロータリ部の土付着防止体を表した左側面断面図である。
【発明を実施するための形態】
【００１１】
実施の一形態を、図１乃至図４に基づいて説明する。図１は本発明の実施例のロータリ耕耘装置の左前方からの斜視図、図２は本発明の実施例のロータリ耕耘装置の左後方からの斜視図、図３は本発明の実施例のロータリ耕耘装置の左側面図、図４は本発明の第１実施例の耕耘ロータリ部の土付着防止体を表した左側面断面図である。走行作業車両であるトラクタ（図示せず）の後部には昇降リンクである３点リンク機構が設けられていて、ロータリ耕耘装置のフレーム２前方部の装着部８と連結され、ロータリ耕耘装置Ａは昇降自在に連結されるとともに、トラクタ側から出力される動力によって駆動される。
【００１２】
装着部８は、ロータリ耕耘装置Ａの前方中央部に設けてあり、上部中央のトップリンクピン８１とその下方左右に位置する一対のロアリンクピン８０により構成されていて、トラクタ側の３点リンク機構（図示せず）のトップリンクとロアリンクにそれぞれ連結されトラクタに装着される。
【００１３】
前方装着部８の中央には、入力ケース１が設けられ、前方に向け入力軸１０が突設されている。入力軸１０は、トラクタの出力軸とユニバーサルジョイント等で連結されトラクタ側の動力が入力される。
【００１４】
入力ケース１から左右側方にそれぞれ一体的に突出して丸パイプで構成されたフレーム２が設けられ、左右一方側（図１においては右側）のフレーム２の突出端部から下方に向かって延設された上下方向の伝動ケース５と、左右他方側のフレーム２の突出端部から下方に向かって延設された上下方向のサポートフレーム３とフレーム２前方部に平行に設けたフロントフレーム２１によって全体のフレーム部を構成していて、左右方向のロータ軸６０を回転自在に、伝動ケース５下端部とサポートフレーム３の下端部との間に架設支持している。
【００１５】
ロータ軸６０には、放射状に一定間隔を設けて耕耘爪６１が多数取り付けられ、ロータリ耕耘体６を構成している。ロータリ耕耘体６上方部はロータリカバー７により覆われていて、ロータリ耕耘体６によって耕耘された土壌の上方への飛散を防ぐとともに砕土や整地の性能を補助する。ロータリ耕耘体６後方部はロータリカバー７の後端部に前方端部を上下方向回動自在に連結された整地板４が位置し、ロータリ耕耘体６により耕耘された土壌の飛散を受け止めるとともに整地板４後方部によって整地が行われる。
【００１６】
前記左右一対のロワリンクピン８０の外側側方部には、それぞれフロントフレーム２１に保持されたゲージホイール２０が設けられている。ゲージホイール２０は、耕耘する地表面に接地して回転するホイール部の高さを調整してロータリ耕耘体６の耕耘深さを調整する。高さ調整は、ホイールを保持する上下方向の平板棒状のアームをフロントフレーム２１に固着させたホルダー部を上下摺動させ、ホルダー部とアームに設けた複数の固定孔を選択して固定ピンを差し込んで高さを調整する。
【００１７】
入力ケース１の入力軸１０から入力された動力は、入力ケース１に内装されるギヤによって減速され、左右一方側の側方に突設したフレーム２（図１においては右側）内を通る出力軸（図示せず）により伝動ケース５内に伝達される。伝動ケース５内の出力軸端部には出力スプロケット（図示せず）が固着され、伝動ケース５下端部に支持されたロータ軸６０の端部のロータ軸スプロケット（図示せず）との間に巻着されたローラチェーン（図示せず）により動力が伝達されロータ軸６０が回転駆動される。
【００１８】
伝動ケース５のロータ軸６０の支持部は、ベアリングにより回転自在に支持されていて、伝動ケース５内に貯留された潤滑オイルにより潤滑されている。伝動ケース５の上部にはオイル給油口が設けられ、給油された潤滑オイルによりローラチェーンやベアリングが潤滑される。
【００１９】
ロータ軸６０のサポートフレーム３側の支持部は、サポートフレーム３にボルトおよびナット等で取り付けられたベアリングリテーナを介してサポートフレーム３に保持されたベアリングにより回転自在に支持されている。
【００２０】
図４は、ロータリ耕耘体６部の進行方向左側側方より見た第１実施例の断面図である。本例においては、ロータリ耕耘体６は未耕地である前方側がダウンカットされるように図４の状態で左回転となっている。ロータリ耕耘体６の上方部には、耕耘爪６１の回転外周端に沿うように離間してロータリカバー７が設けられている。ロータリカバー７は、前方側を構成する薄い鋼板で成型されたメインカバー７１とその後方側に連続して設けられ、伝動ケース５側とサポートフレーム３側に架け渡して固定されたロータリカバーフレーム７０で構成されている。メインカバー７１は、前方側をフレーム２側に、後方側をロータリカバーフレーム７０にそれぞれ取付けられ保持されていて、全体が振動しやすい構造となっている。また、メインカバー７１は、本例では土壌等が付着しにくいステンレス製の板材を使用している。
【００２１】
ロータリカバーフレーム７０後方側には、これに左右水平方向に設けた回動軸４１によって前方端部を上下方向回動自在に連結された整地板４が位置し、ロータリ耕耘体６により耕耘された土壌の飛散を受け止めるとともに整地板４後方部によって整地が行われる。整地板４の外側上面とこれの前方側のフレーム２側とにコンプレッションロッド４０が架け渡させていて、コンプレッションロッド４０に設けたスプリングによって整地板４の押圧力が調整される。
【００２２】
ロータリカバー７のロータリカバーフレーム７０のロータリ耕耘体６側の面には、土付着防止体９が設けられている。土付着防止体９は、弾性板９０を円弧状の膨らみを有するように進行方向の前後方向に折り曲げて、進行方向の左右方向に延設して設けられる。弾性板９０の前方端部を他方側が前方に向くようにロータリカバーフレーム７０の前方側に固定ネジ９１によって保持させる。そして、前方側に向いていた他端側を後方側に折り曲げて、ロータリカバーフレーム７０の後方側に裏返した状態で固定ネジ９１によって固定する。このとき、折り曲げ部は円弧状の膨らみを有するようにループ状に折り曲げ、前方側に膨らみ部９２が形成されるように固定する。
【００２３】
折り曲げられた弾性板９０のロータリ耕耘体６に面しない側とロータリカバーフレーム７０との間には空間が形成され、ロータリ耕耘体６によって飛散された土壌等が打付けられると振動するとともに変形して土壌の付着を阻止する。前方側のメインカバー７１に付着した土壌は、弾性板９０の膨らみ部９２の振動により肥大することが抑制される。弾性板９０は、土が付着しにくいゴム材や樹脂材等の弾性変形可能な材料を使用する。本例の弾性板９０の後方側は、固定ネジ９１の固定部からさらに後方の整地板４側に延設して整地板４の内側面に端部を当接させ、回動軸４１部への土砂の侵入を防止している。また、ロータリ耕耘体６の回転方向の下流側である前方側に膨らみ部９２が形成されるように固定されているため、膨らみ部９２と取付け部のロータリカバー７で形成される鋭角状の角部にロータリ耕耘体６から土壌が直接飛散することが無いため、土壌が挟まる等により蓄積される虞が無く、弾性板９０の振動等の性能を損なうことが無い。
【００２４】
図５は、土付着防止体９の第２の実施例を示したロータリ耕耘体６部の進行方向左側側方より見た断面図である。本実施例は、図４に示した第１実施例のロータリカバーフレーム７０部に取付けた土付着防止体９とともに、その前方部に位置するメインカバー７１のロータリ耕耘体６側の面に土付着防止体９ａをさらに設けたものである。土付着防止体９ａは、弾性板９０ａを円弧状の膨らみを有するように進行方向の前後方向に折り曲げて、進行方向の左右方向に延設して設けられる。弾性板９０ａの前方端部を他方側が前方に向くようにメインカバー７１に固定ネジ９１によって保持させる。そして、前方側に向いていた他端側を後方側に折り曲げて、メインカバー７１の前記固定した位置より後方位置に弾性板９０ａを裏返した状態で固定ネジ９１によって固定する。このとき、前方側の折り曲げ部は円弧状の膨らみを有するようにループ状に折り返し、前方側に膨らみ部９２ａが形成されるように固定する。
【００２５】
弾性板９０ａとメインカバー７１との間には、空間が形成され、ロータリカバー７側に飛散した土壌が打付けられると振動や変形が起こり土壌の付着が阻止される。前方側に形成された円弧状の膨らみ部９２ａによって振動や変形効果がさらに増幅されることが期待できる。本実施例のように、土付着防止体９をロータリカバー７の内周に複数設けて付着しやすい鋼板面を少なくすることで土の付着防止効果を向上させることができる。また、左右幅方向に一体ではなく、分割されていても効果は期待できる。
【００２６】
図６は、土付着防止体９の第３の実施例を示したロータリ耕耘体６部の進行方向左側側方より見た断面図である。本実施例の場合、メインカバー７１に設けた土付着防止体９の形状が第２実施例と異なり、メインカバー７１への取付部を前後方向に一か所設けたものである。弾性板９０ｂの前後端部に取付部をそれぞれ設け、弾性板９０ｂをループ状にして端部を固定ネジ９１によってメインカバー７１に取付ける。ループ状の膨らみを形成していることによって、振動や変形がより発生しやすく土壌の付着防止効果が促進される。
【００２７】
次に、本発明のロータリ耕耘装置によって耕耘作業を行うには、走行機であるトラクタの３点リンク機構に装着部８のロアリンクピン８０及びトップリンクピン８１により連結させ、トラクタの３点リンク機構により上下に昇降可能な状態とする。また、トラクタの出力軸とユニバーサルジョイント等で入力軸１０と連結させ動力の入力が可能な状態とする。
【００２８】
耕耘圃場において、トラクタを操作して耕耘ロータ６を回転させ、３点リンク機構を下降させると、ロータリ耕耘体６の耕耘爪６１により土壌が耕耘される。この状態でトラクタを走行させると、順次圃場を耕耘することができる。また、ロータリ耕耘体６の後方部には整地板４が位置していて、耕耘された土壌表層部を整地しながら作業が行われる。
【００２９】
作業時は、ロータリ耕耘体６で耕耘された土壌がその上部に位置するロータリカバー７に飛散するが、土付着防止体９により付着が阻止され、付着した土壌によりロータリ耕耘体６の回転抵抗が増加して動力ロスを発生させることがない。
【産業上の利用可能性】
【００３０】
この発明は、トラクタ等の走行機後方に装着されて耕耘作業を行うロータリ耕耘装置に適用できる。
【符号の説明】
【００３１】
１    入力ケース
１０  入力軸
２    フレーム
２０  ゲージホイール
３    サポートフレーム
４    整地板
４０  コンプレッションロッド
５    伝動ケース
６    ロータリ耕耘体
６０  ロータ軸
６１  耕耘爪
７    ロータリカバー
７０  ロータリカバーフレーム
７１  メインカバー
８    装着部
８０  ロアリンクピン
８１  トップリンクピン
９，９ａ，９ｂ    土付着防止体
９０，９０ａ，９０ｂ  弾性板
９１  固定ネジ
９２  膨らみ部
【図１】
2016131506.tif 000003
【図２】
2016131506.tif 000004
【図３】
2016131506.tif 000005
【図４】
2016131506.tif 000006
【図５】
2016131506.tif 000007
【図６】
2016131506.tif 000008